(57)【要約】【課題】  スキュー調整の容易化を図る。【解決手段】  ベースシャーシ３に形成されたピックアップ配置孔３ａにおいてディスクテーブル８に装着されたディスク状記録媒体１００の半径方向へ移動する光ピックアップ３１と、光ピックアップをディスク状記録媒体の半径方向へ案内する一対のガイド軸１０、１５と、ベースシャーシに取り付けられ少なくとも一方のガイド軸の両端部をそれぞれ保持しガイド軸を所定の方向へ付勢する調整用板バネ１１、２３と、調整用板バネの弾性変形量を調節し調整用板バネに保持されたガイド軸の位置調整を行う調整部材２２、３０とを設け、調整部材による調整位置をディスクテーブルに装着されたディスク状記録媒体の外周より外側に設けた。【選択図】        図７
2008217850.tif 000002
【特許請求の範囲】
【請求項１】
ディスクテーブルに装着されスピンドルモーターの回転に伴って回転されるディスク状記録媒体に対して情報信号の記録又は再生を行うディスクドライブ装置におけるスキュー調整機構であって、
移動ベースと該移動ベース上に支持された対物レンズ駆動装置とを有すると共にベースシャーシに形成されたピックアップ配置孔においてディスクテーブルに装着されたディスク状記録媒体の半径方向へ移動する光ピックアップと、
光ピックアップをディスク状記録媒体の半径方向へ案内する一対のガイド軸と、
ベースシャーシに取り付けられ少なくとも一方のガイド軸の両端部をそれぞれ保持しガイド軸を所定の方向へ付勢する調整用板バネと、
調整用板バネの弾性変形量を調節し調整用板バネに保持されたガイド軸の位置調整を行う調整部材とを備え、
調整部材による調整位置をディスクテーブルに装着されたディスク状記録媒体の外周より外側に設けた
ことを特徴とするディスクドライブ装置におけるスキュー調整機構。
【請求項２】
上記調整用板バネに、ベースシャーシに取り付けられる被取付部と、該被取付部に連続し弾性変形されるバネ部と、ガイド軸を保持する軸保持部と、バネ部と軸保持部とを連結する連結部とを設け、
バネ部と連結部が平行な状態で位置するように両者を折返状に構成し、
被取付部をディスクテーブルに装着されたディスク状記録媒体の外周より内側に位置させるようにすると共にバネ部と連結部の間の折り返された部分をディスクテーブルに装着されたディスク状記録媒体の外周より外側に位置させるようにした
ことを特徴とする請求項１に記載のディスクドライブ装置におけるスキュー調整機構。
【請求項３】
上記調整用板バネに、被取付部に連続しベースシャーシに対して位置決めされる位置決め部と、被取付部に連続し弾性変形されるバネ部とを各別に設けた
ことを特徴とする請求項１に記載のディスクドライブ装置におけるスキュー調整機構。
【発明の詳細な説明】
【技術分野】
【０００１】
本発明はディスクドライブ装置におけるスキュー調整機構についての技術分野に関する。詳しくは、調整部材による調整位置をディスクテーブルに装着されたディスク状記録媒体の外周より外側に設けてスキュー調整の容易化を図る技術分野に関する。
【背景技術】
【０００２】
ディスクテーブルに装着されるディスク状記録媒体に対して情報信号の記録又は再生を行うディスクドライブ装置には、ディスク状記録媒体の半径方向へ移動される光ピックアップが設けられている。
【０００３】
光ピックアップには対物レンズを所望の方向へ動作させる対物レンズ駆動装置やレーザー光を出射するレーザーダイオード等の発光部が設けられ、一対のガイド軸に案内されてディスク状記録媒体の半径方向へ移動されている状態において、発光部から出射された光が対物レンズによって集光されてディスク状記録媒体の記録面に照射され、情報信号の記録又は再生が行われる。
【０００４】
対物レンズを介してディスク状記録媒体へ向けて出射されるレーザー光は、収差の発生を防止して良好な記録再生特性を確保するために、ディスク状記録媒体の記録面に対して光軸が垂直な状態で照射される必要がある。
【０００５】
そこで、ディスクドライブ装置においては、対物レンズを介してディスク状記録媒体に照射されるレーザー光の光軸の記録面に対する傾き（スキュー）を調整するためのスキュー調整が少なくとも製品の出荷前に行われる。
【０００６】
従来のスキュー調整方法として、例えば、ディスクテーブルに装着されたディスク状記録媒体の記録再生状態をジッター（デジタルデーターの時間軸精度のゆらぎ）に基づいて検出しながらジッターが最適値となるようにガイド軸を位置調整することにより行う方法がある（例えば、特許文献１参照）。このようなジッターに基づいて行う方法においては、ガイド軸の位置調整を行う調整位置がディスクテーブルに装着されたディスク状記録媒体によって隠された位置となるため、調整位置における調整作業をディスク状記録媒体が存在する側と反対側（下側）から行うことになる。
【０００７】
また、別の従来のスキュー調整方法として、例えば、ディスクテーブルのディスク装着面に対するガイド軸の傾きを測定し、ガイド軸の姿勢が最適値となるようにガイド軸を位置調整することにより行う方法がある。このようなガイド軸の傾きに基づいて行う方法においては、ディスク状記録媒体の記録再生状態を検出する必要がないためディスク状記録媒体をディスクテーブルに装着しない状態で調整作業を行うことができ、調整位置における調整作業をディスクテーブルが存在する側（上側）から行うことができる。
【０００８】
【特許文献１】特開２００５−６３５４９号公報
【発明の開示】
【発明が解決しようとする課題】
【０００９】
ところが、ディスク状記録媒体の記録再生状態をジッターに基づいて行う特許文献１に記載されたスキュー調整方法にあっては、調整位置に対する調整作業をディスク状記録媒体が存在する側と反対側から行う必要があるため、調整を行うための専用の設備を設けなければならず、調整作業が大掛かりとなる。
【００１０】
また、スキュー調整は製品の出荷前の他、出荷後のメンテナンス時においても行う必要が生じるが、この場合には、専用の設備の必要上、一旦、製品を回収して専用の設備が存在する保守センター等において調整作業を行わなければならず、出張サービス等による調整作業を行うことができないと言う不具合がある。
【００１１】
一方、ガイド軸の傾きを測定して行う上記したスキュー調整方法にあっては、ガイド軸の傾きを測定するための専用の設備が必要とされるため、ジッターに基づいて行うスキュー調整方法と同様に、出張サービス等による調整作業を行うことができないと言う不具合がある。
【００１２】
そこで、本発明ディスクドライブ装置におけるスキュー調整機構は、スキュー調整の容易化を図ることを課題とする。
【課題を解決するための手段】
【００１３】
本発明ディスクドライブ装置におけるスキュー調整機構は、移動ベースと該移動ベース上に支持された対物レンズ駆動装置とを有すると共にベースシャーシに形成されたピックアップ配置孔においてディスクテーブルに装着されたディスク状記録媒体の半径方向へ移動する光ピックアップと、光ピックアップをディスク状記録媒体の半径方向へ案内する一対のガイド軸と、ベースシャーシに取り付けられ少なくとも一方のガイド軸の両端部をそれぞれ保持しガイド軸を所定の方向へ付勢する調整用板バネと、調整用板バネの弾性変形量を調節し調整用板バネに保持されたガイド軸の位置調整を行う調整部材とを設け、調整部材による調整位置をディスクテーブルに装着されたディスク状記録媒体の外周より外側に設けたものである。
【００１４】
従って、本発明ディスクドライブ装置におけるスキュー調整機構にあっては、ディスク状記録媒体の回転中においてディスク状記録媒体の外周の外側からスキュー調整のための調整作業が行われる。
【発明の効果】
【００１５】
本発明ディスクドライブ装置におけるスキュー調整機構は、ディスクテーブルに装着されスピンドルモーターの回転に伴って回転されるディスク状記録媒体に対して情報信号の記録又は再生を行うディスクドライブ装置におけるスキュー調整機構であって、移動ベースと該移動ベース上に支持された対物レンズ駆動装置とを有すると共にベースシャーシに形成されたピックアップ配置孔においてディスクテーブルに装着されたディスク状記録媒体の半径方向へ移動する光ピックアップと、光ピックアップをディスク状記録媒体の半径方向へ案内する一対のガイド軸と、ベースシャーシに取り付けられ少なくとも一方のガイド軸の両端部をそれぞれ保持しガイド軸を所定の方向へ付勢する調整用板バネと、調整用板バネの弾性変形量を調節し調整用板バネに保持されたガイド軸の位置調整を行う調整部材とを備え、調整部材による調整位置をディスクテーブルに装着されたディスク状記録媒体の外周より外側に設けたことを特徴とする。
【００１６】
従って、ディスク状記録媒体が存在する側からディスク状記録媒体を回転させた状態で記録再生状態を検出しながらスキュー調整を行うことができ、調整作業を容易に行うことができる。
【００１７】
請求項２に記載した発明にあっては、上記調整用板バネに、ベースシャーシに取り付けられる被取付部と、該被取付部に連続し弾性変形されるバネ部と、ガイド軸を保持する軸保持部と、バネ部と軸保持部とを連結する連結部とを設け、バネ部と連結部が平行な状態で位置するように両者を折返状に構成し、被取付部をディスクテーブルに装着されたディスク状記録媒体の外周より内側に位置させるようにすると共にバネ部と連結部の間の折り返された部分をディスクテーブルに装着されたディスク状記録媒体の外周より外側に位置させるようにしたので、折り返された分、調整位置をディスク状記録媒体の外周の外側に確保しつつ調整用板バネの全長を短くすることができ、ディスクドライブ装置の小型化を図ることができる。
【００１８】
請求項３に記載した発明にあっては、上記調整用板バネに、被取付部に連続しベースシャーシに対して位置決めされる位置決め部と、被取付部に連続し弾性変形されるバネ部とを各別に設けたので、位置決め部とバネ部を同一部分としたときのバネ部の変形に伴う位置決め部のベースシャーシに対する浮き上がりの発生と言う不具合を回避することができ、ベースシャーシに対する調整用板バネの良好な取付位置精度を常に確保することができる。
【発明を実施するための最良の形態】
【００１９】
以下に、本発明ディスクドライブ装置におけるスキュー調整機構を実施するための最良の形態を添付図面に従って説明する。
【００２０】
ディスクドライブ装置１は、外筐２の内部に所要の各部材及び各機構が配置されて成り（図１参照）、外筐２には図示しないディスク挿入口が形成されている。ディスクドライブ装置１はスピンドルモーターを挟んだ反対側にそれぞれ光ピックアップが一つずつ配置された構成とされ、２つの光ピックアップに関連する各部品がスピンドルモーターを基準として対称な位置に配置されている。
【００２１】
このような２つの光ピックアップを有する装置としては、例えば、再生動作や記録動作の高速化を目的とした装置、異なる種類のディスク状記録媒体に対応して２つの光ピックアップが動作される装置等がある。
【００２２】
外筐２の内部には、例えば、上下方向を向く略長方形状に形成されたベースシャーシ３が配置されている。ベースシャーシ３には外周側の部分を除く全体にピックアップ配置孔３ａが形成されている。
【００２３】
ベースシャーシ３上には、ピックアップ配置孔３ａの両側にそれぞれ回路基板４、４が配置されている。ベースシャーシ３には駆動モーター５、５が固定され、該駆動モーター５、５に回路基板４、４の各一端部が接続されている。
【００２４】
ベースシャーシ３の中央部には取付板６が取り付けられている。取付板６はピックアップ配置孔３ａを略同じ大きさの２つの部分に分離するようにベースシャーシ３に取り付けられている。
【００２５】
取付板６上にはスピンドルモーター７が固定され、該スピンドルモーター７のモーター軸にディスクテーブル８が固定されている。スピンドルモーター７には回路基板４の一部が接続されている。
【００２６】
ベースシャーシ３には、光ピックアップ配置孔３ａの開口縁に沿ってガイド軸保持板９、９が取り付けられている。ガイド軸保持板９、９にはそれぞれガイド軸（主軸）１０、１０が保持され、該ガイド軸１０、１０が光ピックアップ配置孔３ａの開口縁に沿って位置されている。
【００２７】
ベースシャーシ３の長手方向における両端部には、それぞれ第１の調整用板バネ１１、１１が取り付けられている。
【００２８】
第１の調整用板バネ１１は、図２に示すように、被取付部１２と該被取付部１２から側方へ突出された位置決め部１３と被取付部１２から位置決め部１３とは異なる方向（側方）へ突出されたバネ部１４とがバネ性を有する金属材料によって一体に形成されて成る。
【００２９】
第１の調整用板バネ１１はベースシャーシ３の下面側に配置され、被取付部１２がネジ止め等の適宜の手段によってベースシャーシ３に取り付けられる。第１の調整用板バネ１１は光ピックアップ配置孔３ａを挟んでガイド軸１０が配置された側と反対側の下面側に配置される（図１参照）。
【００３０】
位置決め部１３はベースシャーシ３に対する位置決めを行うための部分であり、位置決め孔１３ａを有している（図２参照）。位置決め部１３は位置決め孔１３ａにベースシャーシ３の下面から下方へ突出された位置決めピン３ｂが挿入されて位置決めされ、ベースシャーシ３の外周部に沿って配置される。
【００３１】
第１の調整用板バネ１１が上記のようにベースシャーシ３に取り付けられた状態において、バネ部１４の先端部が光ピックアップ配置孔３ａのコーナー付近に位置される。
【００３２】
第１の調整用板バネ１１のバネ部１４の先端部にはガイド軸（副軸）１５の一端部１５ａが載置される。バネ部１４はガイド軸１５が載置されたときに下方へ撓むように弾性変形可能であり、ガイド軸１５はバネ部１４によって上方へ付勢された状態で保持される。
【００３３】
ベースシャーシ３にはガイド軸１５、１５を上側から覆う位置に押さえ部材１６、１６が取り付けられる。押さえ部材１６は、上下方向を向く平板状に形成された調整板部１７と、該調整板部１７の一方の側縁における一部を除いた部分から下方へ突出された押さえ板部１８と、調整板部１７の一方の側縁における一部から下方へ突出されたスラスト受部１９と、調整板部１７の他方の側縁から下方へ突出された連結板部２０と、該連結板部２０の下縁から側方へ突出された被取付部２１とが一体に形成されて成る。
【００３４】
調整板部１７には螺溝を有する調整孔１７ａが形成されている。
【００３５】
押さえ部材１６は被取付部２１がネジ止め等の適宜の手段によりベースシャーシ３に取り付けられる。押さえ部材１６がベースシャーシ３に取り付けられた状態において、押さえ板部１８の内面がガイド軸１５の一端部１５ａの外周面に側方から接触し、ガイド軸１５が押さえられる。このときガイド軸１５の軸方向における一端面がスラスト受部１９に接触し、ガイド軸１５が軸方向において押さえられる。
【００３６】
押さえ部材１６の調整板部１７に形成された調整孔１７ａには調整部材２２が螺合される。調整部材２２は、例えば、ネジ部材である。
【００３７】
ベースシャーシ３には第２の調整用板バネ２３、２３が取り付けられている（図１参照）。
【００３８】
第２の調整用板バネ２３は、図３に示すように、被取付部２４と該被取付部２４から側方へ突出された位置決め部２５と被取付部２４から位置決め部２５とは異なる方向（側方）へ突出されたバネ部２６と該バネ部２６に連続して設けられた連結部２７と該連結部２７に連続して設けられた軸保持部２８とがバネ性を有する金属材料によって一体に形成されて成る。
【００３９】
第２の調整用板バネ２３はベースシャーシ３の下面側に配置され、被取付部２４がネジ止め等の適宜の手段によってベースシャーシ３に取り付けられる。第２の調整用板バネ２３はガイド軸１５の他端部１５ｂに対応した位置に配置される。
【００４０】
位置決め部２５はベースシャーシ３に対する位置決めを行うための部分であり、位置決め孔２５ａを有している。位置決め部２５は位置決め孔２５ａにベースシャーシ３の下面から下方へ突出された位置決めピン３ｃが挿入されて位置決めされる。
【００４１】
バネ部２６と連結部２７は同じ方向へ延びるように設けられ、両者は平行な状態で位置するように折返状に構成されている。第２の調整用板バネ２３は、バネ部２６と連結部２７の折り返された部分がベースシャーシ３における最も外周側に位置するようにされている（図１参照）。
【００４２】
軸保持部２８には保持溝２８ａが形成されている（図３参照）。軸保持部２８には下方へ折り曲げられて形成されたスラスト受部２８ｂが設けられている。
【００４３】
第２の調整用板バネ２３は、位置決め部２５が光ピックアップ配置孔３ａの開口縁に沿って位置され、軸保持部２８が光ピックアップ配置孔３ａに位置される。
【００４４】
第２の調整用板バネ２３の軸保持部２８の軸保持溝２８ａにはガイド軸１５の他端部１５ｂが挿入されて保持され、該ガイド軸１５の軸方向における他端面がスラスト受部２８ｂに接触し軸方向において押さえられる。バネ部２６はガイド軸１５が保持されたときに下方へ撓むように弾性変形可能であり、ガイド軸１５は軸保持部２８にバネ部２６によって上方へ付勢された状態で保持される。
【００４５】
軸保持部２８、２８にはガイド軸１５、１５を上側から押さえる押さえ板２９、２９が取り付けられる。押さえ板２９は、例えば、ネジ止めによって軸保持部２８に取り付けられる。
【００４６】
ベースシャーシ３には、第２の調整用板バネ２３のバネ部２６における位置決め部２５と反対側の端部の上方に存在する部分に、螺溝を有する調整孔３ｄが形成されている。調整孔３ｄには調整部材３０が螺合される。調整部材３０は、例えば、ネジ部材である。
【００４７】
ベースシャーシ３に形成された調整孔３ｄは押さえ部材１６の調整孔１７ａとともに、後述するスキュー調整が行われるときの調整位置となるが、これらの調整位置は何れもディスクテーブル８にディスク状記録媒体１００が装着された状態において該ディスク状記録媒体１００の外周の外側に位置されている。
【００４８】
以上のように配置されたガイド軸１０、１０、１５、１５には光ピックアップ３１、３１が移動自在に支持される（図１参照）。光ピックアップ３１、３１にはそれぞれ回路基板４、４の一部が接続されている。
【００４９】
光ピックアップ３１は移動ベース３２と該移動ベース３２に配置された所要の光学部品と移動ベース３２上に支持された対物レンズ駆動装置３３とを有し、移動ベース３２の両端部に設けられた軸受部３２ａ、３２ｂがそれぞれガイド軸１０、１０とガイド軸１５、１５に摺動自在に支持されている。光ピックアップ３１は駆動モーター５の駆動力によってガイド軸１０、１５に案内されてディスクテーブル８に離接する方向であるディスク状記録媒体１００の半径方向へ移動される。
【００５０】
以上のようにして構成されたディスクドライブ装置１において、スピンドルモーター７の回転に伴ってディスクテーブル８が回転されると、該ディスクテーブル８に装着されたディスク状記録媒体１００が回転され、同時に、光ピックアップ３１がディスク状記録媒体１００の半径方向へ移動されてディスク状記録媒体１００に対する記録動作又は再生動作が行われる。このとき対物レンズ駆動装置３３によってフォーカス調整及びトラッキング調整が行われ、対物レンズ３３ａを介してディスク状記録媒体１００に照射されるレーザー光がディスク状記録媒体１００の記録面上に集光されると共にレーザー光のスポットがディスク状記録媒体１００の記録トラックに追従される。
【００５１】
ディスクドライブ装置１にあっては、対物レンズ３３ａを介してディスク状記録媒体１００へ向けて出射されるレーザー光の光軸がディスク状記録媒体１００の記録面に対して垂直な状態となるようにスキュー調整が行われる。
【００５２】
スキュー調整はディスクテーブル８にディスク状記録媒体１００を装着し、回転されるディスク状記録媒体１００の記録再生状態をジッターに基づいて検出しながらジッターが最適値となるようにガイド軸１５を位置調整することにより行われる。
【００５３】
スキュー調整は、先ず、調整部材２２を治具によって回転させることにより行う（図４及び図５参照）。調整部材２２はディスク状記録媒体１００の外周の外側に位置されているため、治具を用いて調整部材２２を上方側から容易に回転させることができる。
【００５４】
調整部材２２を回転させると、調整部材２２が調整孔１７ａにとじ込まれ又はとじ戻され調整部材２２の下端部の斜面に接しているガイド軸１５に付与される負荷が変動され、第１の調整用板バネ１１のバネ部１４の変形量が変化される。従って、ガイド軸１５の一端部１５ａ側が略上下方向へ移動されて光ピックアップ３１の外周部でのタンジェンシャル方向における傾きが調整される。
【００５５】
次に、調整部材３０を治具によって回転させることにより調整を行う（図６及び図７参照）。調整部材３０はディスク状記録媒体１００の外周の外側に位置されているため、治具を用いて調整部材３０を上側から容易に回転させることができる。
【００５６】
調整部材３０を回転させると、調整部材３０が調整孔３ｄにとじ込まれ又はとじ戻され調整部材３０の先端と接している第２の調整用板バネ２３のバネ部２６に付与される負荷が変動され、該バネ部２６の変形量が変化される。このときバネ部２６の変形量が大きくなると該バネ部２６は略下方へ撓むように変形され、軸保持部２８とこれに保持されているガイド軸１５は上方へ変位され、逆に、バネ部２６の変形量が小さくなると該バネ部２６は略上方へ戻るように変形され、軸保持部２８とこれに保持されているガイド軸１５は下方へ変位される。従って、ガイド軸１５の他端部１５ｂ側が略上下方向へ移動されて光ピックアップ３１の内周部でのタンジェンシャル方向における傾きが調整される。
【００５７】
尚、上記したスキュー調整は、ガイド軸１０のベースシャーシ３に対する良好な位置精度（傾き精度）が確保されている場合において行うことが可能であるが、ガイド軸１０の良好な位置精度を確保するために、例えば、ガイド軸１０の一端部側に、上記した第１の調整用板バネ１１や第２の調整用板バネ２３を用いた調整位置を形成し、この調整位置に対して調整作業を行ってスキュー調整をすることも可能である。
【００５８】
以上に記載した通り、ディスクドライブ装置１にあっては、調整位置をディスクテーブル８に装着されたディスク状記録媒体１００の外周の外側に設けているため、ディスク状記録媒体１００が存在する側からディスク状記録媒体１００を回転させた状態で記録再生状態を検出しながらスキュー調整を行うことができ、調整作業を容易に行うことができる。
【００５９】
また、スキュー調整をディスク状記録媒体１００が存在する側と反対側から行う必要がないため、調整を行うための専用の設備を設ける必要がなく、出荷後のメンテナンス時において出張サービス等による調整作業を行うことができる。
【００６０】
さらに、第２の調整用板バネ２３をバネ部２６と連結部２７が平行な状態で折り返される構成としているため、折り返された分、調整位置をディスク状記録媒体１００の外周の外側に確保しつつ第２の調整用板バネ２３の全長を短くすることができ、ディスクドライブ装置１の小型化を図ることができる。
【００６１】
加えて、第１の調整用板バネ１１及び第２の調整用板バネ２３にそれぞれ位置決め部１３、２５とバネ部１４、２６を各別に設けているため、位置決め部とバネ部を同一部分としたときのバネ部の変形に伴う位置決め部のベースシャーシ３に対する浮き上がりの発生と言う不具合を回避することができ、ベースシャーシ３に対する第１の調整用板バネ１１及び第２の調整用板バネ２３の良好な取付位置精度を常に確保することができる。
【００６２】
上記には、２つの光ピックアップ３１、３１が設けられた例を示したが、本発明の適用範囲は２つの光ピックアップ３１、３１を有する装置に限られることはなく、本発明は一つ又は三つ以上の光ピックアップが設けられた装置にも適用することができる。
【００６３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６４】
【図１】図２乃至図７と共に本発明の最良の形態を示すものであり、本図は、ディスクドライブ装置の概略斜視図である。
【図２】第１の調整用板バネとその周辺の部材を示す拡大分解斜視図である。
【図３】第２の調整用板バネとその周辺の部材を示す拡大分解斜視図である。
【図４】図５と共に第１の調整用板バネを用いたスキュー調整の状態を示すものであり、本図はバネ部が変形される前の状態を示す拡大断面図である。
【図５】バネ部が変形された状態を示す拡大断面図である。
【図６】図７と共に第２の調整用板バネを用いたスキュー調整の状態を示すものであり、本図はバネ部が変形される前の状態を示す拡大断面図である。
【図７】バネ部が変形された状態を示す拡大断面図である。
【符号の説明】
【００６５】
１…ディスクドライブ装置、３…ベースシャーシ、３ａ…ピックアップ配置孔、７…スピンドルモーター、８…ディスクテーブル、１０…ガイド軸、１１…第１の調整用板バネ、１５…ガイド軸、２２…調整部材、２３…第２の調整用板バネ、２４…被取付部、２５…位置決め部、２６…バネ部、２７…連結部、２８…軸保持部、３０…調整部材、３１…光ピックアップ、３２…移動ベース、３３…対物レンズ駆動装置、１００…ディスク状記録媒体
【図１】
2008217850.tif 000003
【図２】
2008217850.tif 000004
【図３】
2008217850.tif 000005
【図４】
2008217850.tif 000006
【図５】
2008217850.tif 000007
【図６】
2008217850.tif 000008
【図７】
2008217850.tif 000009